(57)【特許請求の範囲】
【請求項１】
積重したシートの上方に隙間を持たせ、かつフィーダボードの入口部に設けられる咬えローラの上流側と下流側に位置してシート横幅方向に掛け渡した１対の巻き取りローラを配設し、該巻き取りローラの両側端部に下流側が広くなるよう形成したシート状のガイドを巻回させ、前記巻き取りローラの巻き取り及び繰り出しによって、前記ガイドのシート横幅方向の設定幅及びシート移送方向の設定長さを変更可能に構成したことを特徴とする枚葉印刷機の給紙装置。
【請求項２】
上記シート状のガイドを巻回させた巻き取りローラの軸端にモータを連結し、該モータを制御装置へ入力したシート横幅方向寸法データを介して制御し、前記モータの駆動によって自動的に前記ガイドの横幅及び縦方向長さを設定するように構成したことを特徴とする請求項１に記載の枚葉印刷機の給紙装置。
【請求項３】
上記シート状のガイドを巻回させた巻き取りローラ軸端をそれぞれ昇降装置に軸支させ、前記ガイドと積重したシート上面との隙間及び該シート上面に対する勾配角度の設定を変更可能に構成したことを特徴とする請求項１に記載の枚葉印刷機の給紙装置。
【発明の詳細な説明】
【０００１】
【発明の属する技術分野】
本発明は、１枚ずつ送り出される枚葉紙（シート）の走行姿勢安定化を図るシート状のガイドを具備した枚葉印刷機の給紙装置に関するものである。
【０００２】
【従来の技術】
図５及び図６は枚葉印刷機に設備される一般的な給紙装置の概略構成の説明図、図７は上記給紙装置の問題点の説明図である。
一般的な枚葉印刷機は、図５及び図６に示す給紙装置Ｐ、多色印刷を施す図示しない複数組の印刷装置、図示しない排紙装置及び該排紙装置に設けたシート積重装置等によって構成されている。
このような枚葉印刷機において、シート（枚葉紙）２は、給紙装置Ｐから１枚ずつ送り出されて次工程の印刷装置を経由する途上で所定の印刷が施され、続いて排紙装置へ移送された後、積重装置の排紙テーブル上に積重され、一定枚数の束として外部へ搬出されることになる。
【０００３】
ところで、従来の給紙装置Ｐは、図５及び図６に示す如く、積重するシート２を載せる給紙テーブル１、さばき装置１１、シート送り出し装置１２等から構成されている。また、給紙装置Ｐから図外の第１印刷装置へシート２を移送するフィーダボード３には、上流端側から下流端側へ向かって咬えコロ５及びフィーダベルトコンベア１３が設けられ、その下流端には前当て１４が設備されている。
【０００４】
上記給紙テーブル１は、積重するシート２の量に対応して昇降すべく構成されており、積重した最上段のシート２の高さ位置を常に搬出に適する高さに設定すべく制御されている。また、上記さばき装置１１は、積重したシート２の上部後端から空気Ａを吹き付け、１枚ずつに分離させることによって２枚給紙等の給紙ミスを防止すべく機能している。
そして、上記シート送り出し装置１２は、下方に設けた複数個の真空吸引パッド１５を有しており、上記さばき装置１１にて分離した最上段のシート２を１枚だけ真空吸引パッド１５で吸着保持し、この状態で移動しながらフィーダボード３の咬えコロ５とフィードローラ１６の中間へ挿入すべく構成されている。
【０００５】
上記咬えコロ５は、シートパスラインの下方において位置固定的に設けられたフィードローラ１６に対し、送り込まれるシート２の給送タイミングと連動して接離すべく構成されており、シート２を挟持した状態で回転することによって、搬送するシート２を真空吸引パッド１５から受け取り、下流のフィーダベルトコンベア１３上へ移載すべく機能している。
また、上記フィーダベルトコンベア１３は、複数組のガイドローラ１７を互いに巻回させたエンドレスのベルトコンベアであり、同ガイドローラ１７の一部軸端に連結したモータＭの制御によって走行速度を任意に（機械速度に対応して）増減速設定させることができるようになっている。なお、前当て１４は、フィーダボード３の下流端において送り込まれたシート２の前端の停止位置を規定し、図示しない次工程の印刷装置入口部に設けた第１中間胴の爪へ受け渡すよう機能している。
【０００６】
上記構成のもと、シート２は、シート送り出し装置１２の真空吸引パッド１５により尻（後端）側を吸着されて送り出された後、給紙テーブル１上からフィードローラ１６と咬えコロ５の中間へ、更にフィーダコンベア１３へ受け渡され、フィーダボード３の上面に沿って前当て１４へ当接するまで送り出されることになる。
【０００７】
【発明が解決しようとする課題】
しかしながら、上述した従来の給紙装置Ｐは次のような問題点を有している。すなわち、上記真空吸引パッド１５にて吸着保持されたシート２は、咬えコロ５とフィーダローラ１６へ受け渡される途上で上方にたわみ、そのたわみ量が変化することにより咬えコロ５にて把持される位置が操作側と駆動側、つまり装置（シート）横幅方向にて前後にばらつくことがある。したがって、図７（ａ）に示す如く、シート２が傾いた状態でフィーダボード３上を移動し、先行するシート２の片側前端のみが前当て１４に当接することになる。このようなシート２のたわみは、主として補助吹エアの操作側、駆動側の微妙な風量、風圧バランスの違いによって生ずることが多い。
このように、従来の給紙装置Ｐでは、シート２が傾いた状態でフィーダボード３上を流れるので、次工程へのシート受け渡しが不安定になり、下流の印刷において見当合わせが困難で精度不良が発生する大きな要因となっていた。
【０００８】
上記シート２のたわみを規制する手段として、今日様々な手段が提案されている。図５に例示したシート送り装置では、シートパイルの上方においてシート送り出し装置１２から枚葉処理機（フィーダボード）３への受け渡し位置を越えるまでの間に位置し、フィーダローラ１６上へ複数本（５本程度）から成る棒状ガイド１８ａ〜１８ｎが配設されている。
また、図６に例示したシート送り装置では、上記棒状ガイド１８に代えてシート送り部材１９が配設されている。このシート送り部材１９は、シート移送方向の前後両端をシート横幅方向へ移動調整可能に構成した一対の巻き取りローラ２０ａ，２０ｂへ巻回され、常に所定の張力を付加した状態で張り渡されている。本装置は、一対の巻き取りローラ２０ａ，２０ｂのうち、片側（下流側）を装置横幅方向へ移動させることによって横幅寸法の異なる種々のシート２に対応できると共に、シート送り部材１９の巻き取り量を変え、巻き取りローラ２０ａ，２０ｂの軸間距離を変更することによって移送方向長さ寸法の異なる種々のシート２に対応できるようになっている（特開平９−１２４１８１号参照）。
【０００９】
次に、上記シート送り装置の不具合点について説明する。
図７に示す如く、図５及び図６に共通する不具合点としては、薄紙等剛性の低いシート２の場合、セパレータ（シート移送装置）とガイドとの間や、ガイドとガイドとの間でシート２のたわみが発生し、その結果、シート２の流れが不安定になり給紙不良が発生するおそれがある。
また、図６に示す装置では、巻き取りローラ２０をシート横幅方向へ移動設定する機構が必要であり、更にシート送り部材１９を幅のあるベルト状に形成した場合、巻回される巻き取りローラ２０の軸角度調整機構を組み込む必要がある。このため、シート送り装置の構造が複雑となり、初期設定が困難であるばかりでなく、製造原価が高騰するという問題もあった。
【００１０】
本発明はこのような実状に鑑みてなされたものであって、その目的は、フィーダボード上へ送り出す種々のシートを適切にかつ安定して移送でき、シートのたわみを大幅に減少させると共に、ガイドをシートの横幅方向へ調節する一連の装置が不要となり、構造が簡単で製造原価の低減化を図ることが可能な枚葉印刷機の給紙装置を提供することにある。
【００１１】
【課題を解決するための手段】
上記従来技術の有する課題を解決するために、本発明においては、積重したシートの上方に隙間を持たせ、かつフィーダボードの入口部に設けられる咬えローラの上流側と下流側に位置してシート横幅方向に掛け渡した１対の巻き取りローラを配設し、該巻き取りローラの両側端部に下流側が広くなるよう形成したシート状のガイドを巻回させ、前記巻き取りローラの巻き取り及び繰り出しによって、前記ガイドのシート横幅方向の設定幅及びシート移送方向の設定長さを変更可能に構成している。
【００１２】
【発明の実施の形態】
以下、本発明を図示の実施の形態に基づいて詳細に説明する。ここで、図１及び図２は本発明の実施の形態に係る枚葉印刷機の給紙装置に設備されるシートガイド（紙ガイド）の構成説明図であり、図１はその平面図、図２はその側面図である。また、図３はシートガイドの機能説明図である。
本発明の実施の形態の特徴は、図１及び図２に示すような枚葉印刷機の給紙装置Ｐに設備されるシートガイド４にあり、該シートガイド４は、給紙テーブル１上に積重したシート２の束の最上段から１枚ずつ送り出されるシート２を下流側のフィーダボード３上へ安定的に移送すべく設けられている。
【００１３】
すなわち、本給紙装置Ｐの基本構成としては、図１及び図２に示す如く、フィーダボード３の入口部に咬えコロ（咬えローラ）５が設けられ、該咬えコロ５を挟んだ上流と下流の両側に位置して装置（シート）横幅方向へ掛け渡した一対の巻き取りローラ６ａ，６ｂが配置されており、これら両巻き取りローラ６ａ，６ｂの間にシート状の紙ガイドであるシートガイド４が巻回されて張り渡された構造になっている。なお、咬えコロ５は、装置横幅方向に間隔を開けて対向配置された一対のローラ５ａ，５ｂからなっている。
【００１４】
また、上記シートガイド４は、咬えコロ５ａ，５ｂにより装置横幅方向に沿って左右及び中央の３枚４ａ，４ｂ，４ｃに分割されており、中央に位置するシートガイド４ｂは同一幅を有する１枚（或いは複数枚）のシートにて形成されている。一方、装置横幅方向の両側に位置するシートガイド４ａ，４ｃは、下流側が広くなるようそれぞれ外側に所定の勾配を持った略三角形のシートにて形成されている。
したがって、上記シートガイド４のシート横幅方向の設定幅及びシート移送方向の設定長さは、図３（ａ），（ｂ）に示す如く、両巻き取りローラ６ａ，６ｂを介してシートガイド４を適宜に繰り出す、或いは巻き取ることによって変更設定することが可能になっている。
【００１５】
これら巻き取りローラ６ａ，６ｂは、これを手動で回転させたりすることも可能であるが、図１に示す如く、各軸端に連結したモータ７ａ，７ｂ及び制御装置８によって回転させたりすることも可能である。この方法では、モータ７ａ，７ｂがそれぞれ制御装置８に接続されており、同制御装置８へ入力したシート横幅方向寸法データを介して、モータ７ａ，７ｂは給送するシート２の仕様に対応して自動的に制御されるようになっている。したがって、シートガイド４の横幅及び縦方向長さは、モータ７ａ，７ｂの回転駆動によって自動的に設定されるように構成されている。
なお、制御装置８には、シート２の横幅を検出する一対のセンサ９によって実測した計測値が入力されたり、或いは予め設定したシート寸法データに基づいたものが入力されたりする等、種々の入力形式がある。一対のセンサ９は、シート移送方向の前方であって、横幅方向に間隔を置いて配設されている。
【００１６】
一方、上記シートガイド４は、その基本構成に加えて、図４（ａ），（ｂ）に示す如く、各巻き取りローラ６ａ，６ｂの軸端がそれぞれ昇降装置１０ａ，１０ｂに支持された構造としても良い。このような構造によれば、図４（ａ）に示す如く、積重したシート２の最上段とシートガイド４との上下隙間Ｈを適宜に設定することが可能となる。また、昇降装置１０ａ，１０ｂの相対的昇降量を変更すれば、図４（ｂ）に示す如く、積重したシート２の最上段のシート面に対し上流から下流側へ向かって勾配角度θを形成したシートガイド４として設定することが可能となる。
さらに、シートガイド４の張力は、両巻き取りローラ６ａ，６ｂのトルクを変更することによって任意に調整することが可能であり、しかも、シートガイド４として静電気の発生を抑えるべく除電効果のあるシート材（例えば金属シート、炭素繊維シート等をアースする）を採用しても良い。
【００１７】
このように、本実施の形態の枚葉印刷機の給紙装置Ｐでは、上記の如く構成されたシートガイド４ａ，４ｂ，４ｃを具備しているので、シート２の進行方向の上流側と下流側に並設した一対の巻き取りローラ６ａ，６ｂでシートガイド４の巻き取り、或いは繰り出し量を適宜に調整することによって、同シートガイド４の横幅寸法及びシート進行方向長さを移送するシート２へ対応させることが可能となった。それに加えて、移送するシート２とシートガイド４の隙間及び角度をシート仕様によって適宜に変更設定することができる。したがって、移送するシート２の上側を面積の広い平面で規制することができ、しかもシート２をその質（剛性）に対応して安定走行させることが可能になるため、適切なガイドとして機能させることができる。
【００１８】
以上、本発明の実施の形態につき述べたが、本発明は既述の実施の形態に限定されるものではなく、本発明の要旨を逸脱しない範囲内において種々の変形及び変更を加え得るものである。
【００１９】
【発明の効果】
上述の如く、本発明に係る枚葉印刷機の給紙装置は、積重したシートの上方に隙間を持たせ、かつフィーダボードの入口部に設けられる咬えローラの上流側と下流側に位置してシート横幅方向に掛け渡した１対の巻き取りローラを配設し、該巻き取りローラの両側端部に下流側が広くなるよう形成したシート状のガイドを巻回させ、前記巻き取りローラの巻き取り及び繰り出しによって、前記ガイドのシート横幅方向の設定幅及びシート移送方向の設定長さを変更可能に構成しているので、次のような種々の効果が得られる。
（１）  シートの大部分がシート状のガイドによる平面で案内されるため、シートのたわみが大幅に減少させられ、シート先端のばらつき、傾斜等が無くなり、種々のシートを適切にかつ安定して移送できる。
（２）  シート状のガイドを除電作用のある材質のもので作成することにより、静電気による吸着等の不具合が無くなり、給紙不良を抑制できる。
（３）  給送するシートとシート状のガイド下面との隙間、及びシート面とシート状のガイドとの角度を変更できるよう構成しているため、種々の仕様（剛性、性質）のシートを適切に移送することができる。
（４）  シートガイドを略三角形のシート状に形成し、巻き取りローラによる巻き取りや、巻き戻し（繰り出し）のみによってシート状のガイドの有効面積を可変し得るため、ガイドをシートの横幅方向へ調節する一連の装置が不要となり、構造が簡単となる上、製造原価の低減が図れる。
（５）  （４）項に関連して初期設定作業が容易になり、省力化が図れる。
【図面の簡単な説明】
【図１】本発明の実施の形態に係る枚葉印刷機の給紙装置に設備されるシートガイドを示す平面図である。
【図２】図１のシートガイドを示す側面図である。
【図３】図１におけるシートガイドの機能を説明するもので、（ａ）は同シートガイドのシート進行方向長さが変更する前の状態を示す平面図、（ｂ）は同シートガイドのシート進行方向長さが変更した後の状態を示す平面図である。
【図４】本実施形態のシートガイドの巻き取りローラを昇降装置に支持させた構造であり、（ａ）は積重したシートの最上段とシートガイドの隙間を設定した状態を示す側面図、（ｂ）は積重した最上段のシート面に対し上流側から下流側へ勾配を形成した状態を示す側面図である。
【図５】棒状ガイドを配設した従来の枚葉印刷機の給紙装置を示す側面図である。
【図６】（ａ）はシート送り部材を配設した従来の枚葉印刷機の給紙装置を示す側面図、（ｂ）は（ａ）のＡ矢視図である。
【図７】（ａ）は従来の給紙装置において、シートがフィーダボード上で斜行している状態を示す平面図、（ｂ）はシート送り部材にてシートを案内している状態を示す正面図である。
【符号の説明】
１  給紙テーブル
２  シート
３  フィーダボード
４  シートガイド
５  咬えコロ
６  巻き取りローラ
７  モータ
８  制御装置
９  センサ
１０  昇降装置
１１  さばき装置
１２  シート送り出し装置
１３  フィーダベルトコンベア
１４  前当て
１５  真空吸引パッド
１６  フィーダローラ
１７  ガイドローラ
Ｐ  給紙装置
【図１】
0003935602.tif 000002
【図２】
0003935602.tif 000003
【図３】
0003935602.tif 000004
【図４】
0003935602.tif 000005
【図５】
0003935602.tif 000006
【図６】
0003935602.tif 000007
【図７】
0003935602.tif 000008